(57)【要約】      （修正有）【課題】ゴルフボール表面付近の空気境界層に乱流を誘起するように作用するゴルフボールディンプルのデザイン及び形状を提供する。【解決手段】ゴルフボールに使用するための複数の腕部４０ａ〜４０ｆを備えるディンプル４０であって、各々の腕部４０ａ〜４０ｆが、第１幅をもつ前縁と、第１幅よりも広い第２幅をもつ後縁と、各々が前縁から後縁に延びる第１側壁及び第２側壁と、斜面を形成するように、前縁におけるほぼ０である第１深さと、後縁における第１深さよりも深い第２深さとを有する、傾斜した底部とを有する。このディンプルパターンは、他の形式のディンプルも含むことができる。【選択図】図４
2014138853.tif 000002
【特許請求の範囲】
【請求項１】
ゴルフボールに使用するための複数の腕部を備えるディンプルであって、該腕部の各々が、
第１幅をもつ前縁と、
前記第１幅よりも広い第２幅をもつ後縁と、
各々が前記前縁から前記後縁に延びる第１側壁及び第２側壁と、
斜面を形成するように、前記前縁におけるほぼ０である第１深さと、前記後縁における前記第１深さよりも深い第２深さとを有する、傾斜した底部と、
を含み、
前記ディンプルには中央領域が設けられ、該中央領域は、その周辺部において、前記第２深さと同じ第３深さを有することを特徴とするディンプル。
【請求項２】
前記第１側壁及び第２側壁が、反曲した湾曲を形成していることを特徴とする、請求項１に記載のディンプル。
【請求項３】
前記第１側壁及び第２側壁の各々は、その長さに沿った所定の点において前記第２幅より大きい第３幅を有することを特徴とする、請求項１に記載のディンプル。
【請求項４】
前記第３幅が、前記第２幅よりも少なくとも３パーセント大きいことを特徴とする、請求項３に記載のディンプル。
【請求項５】
前記第３幅が、前記第２幅よりも少なくとも５パーセント大きいことを特徴とする、請求項４に記載のディンプル。
【請求項６】
前記第１側壁及び第２側壁が、前記前縁から前記後縁まで線形の形状を形成することを特徴とする、請求項１に記載のディンプル。
【請求項７】
前記第１側壁及び第２側壁の各々が、前記底部に対し約９０度の角度をなすことを特徴とする、請求項１に記載のディンプル。
【請求項８】
前記第１側壁及び第２側壁の各々が、前記底部に対し約９０度より大きく約１２０度より小さい角度をなすことを特徴とする、請求項１に記載のディンプル。
【請求項９】
表面上に複数のディンプルを備えたゴルフボールであって、該複数のディンプルが、少なくとも１つの複合ディンプルを含むディンプルパターンに従ってゴルフボール上に配置され、該少なくとも１つの複合ディンプルが複数の腕部を備え、該腕部の各々が、
第１幅をもつ前縁と、
前記第１幅よりも広い第２幅をもつ後縁と、
各々が前記前縁から前記後縁に延びる第１側壁及び第２側壁と、
斜面を形成するように、前記前縁におけるほぼ０である第１深さと、前記後縁における前記第１深さよりも深い第２深さを有する、傾斜した底部と、
を含み、
前記ディンプルには中央領域が設けられ、該中央領域は、その周辺部において、前記第２深さと同じ第３深さを有することを特徴とするゴルフボール。
【請求項１０】
前記ディンプルパターンは、第１複合ディンプル形式を少なくとも５０パーセント含み、該第１複合ディンプル形式が、第１の数の腕部を備えることを特徴とする、請求項９に記載のゴルフボール。
【請求項１１】
前記ディンプルパターンは、第２複合ディンプル形式を少なくとも１パーセント含み、該第２複合ディンプル形式が、前記第１の数の腕部より少ない第２の数の腕部を備えることを特徴とする、請求項１０に記載のゴルフボール。
【請求項１２】
前記ディンプルパターンは、第１形状を有する第１形式のディンプルを約５０パーセント含み、該ディンプルパターンは、第１の数の腕部を備える第１複合ディンプル形式を約５パーセントから約５０パーセント含むことを特徴とする、請求項９に記載のゴルフボール。
【請求項１３】
前記第１形状が円形であることを特徴とする、請求項１２に記載のゴルフボール。
【請求項１４】
前記ディンプルパターンは、更に、第２複合ディンプル形式を、約１パーセントから約５パーセント含み、該第２複合ディンプル形式が、前記第１の数の腕部よりも少ない第２の数の腕部を備えることを特徴とする、請求項１２に記載のゴルフボール。
【請求項１５】
前記第１側壁及び第２側壁が、反曲した湾曲を形成していることを特徴とする、請求項９に記載のゴルフボール。
【請求項１６】
前記第１側壁及び第２側壁の各々が、前記底部に対し約９０度の角度をなすことを特徴とする、請求項９に記載のゴルフボール。
【請求項１７】
前記第１側壁及び第２側壁の各々が、前記底部に対し約９０度より大きく約１２０度より小さい角度をなすことを特徴とする、請求項９に記載のゴルフボール。
【請求項１８】
前記複合ディンプルの各々が、隣接するディンプルの数と同じ数の腕部を有することを特徴とする、請求項９に記載のゴルフボール。
【請求項１９】
前記ディンプルパターンは、複数の複合ディンプルを備え、該複合ディンプルの腕部は、隣接する複合ディンプルの腕部と互いにかみ合うように配向されることを特徴とする、請求項９に記載のゴルフボール。
【請求項２０】
前記ディンプルパターンは、複数の複合ディンプルを備え、前記複合ディンプルの腕部は、前記ディンプルの中心と該ディンプルに隣接するディンプルの中心とを結ぶ仮想線を跨ぐように配向されていることを特徴とする、請求項９に記載のゴルフボール。
【発明の詳細な説明】
【技術分野】
【０００１】
本発明は、星状パターンを有するゴルフボールディンプルのデザインと、そのようなディンプルをゴルフボール上に配置する方法に関する。
【背景技術】
【０００２】
ＮＡＣＡダクトは、低抵抗吸気口デザインの一般的な形態であり、元をたどれば、１９４０年代に米国航空宇宙諮問委員会によって開発されたものである。特に、ＮＡＣＡダクトは、冷却用、換気用、又は燃焼用空気を、航空機又は車両の機械システムに導入するために一般的に使用される、埋め込み型インレット又はスクープである。ＮＡＣＡダクトは、物体の外部に突出する従来のスクープとは対照的に、物体表面に窪みを有するので、ダクトの抵抗はより小さくなる。しかしながら、そのような形状の欠点として、ダクトが物体から離れた位置で高エネルギ空気内に達するように構成されていないので、低エネルギの境界層空気つまり移動中の物体の表面に密着する空気層の大部分が吸引され、ダクトの有効性を制限することが挙げられる。ＮＡＣＡダクトは、特定の幾何学的特徴を組み入れることで、この欠点を部分的に相殺する。例えば、ＮＡＣＡダクトは、物体に向かって緩やかに下向きに傾斜する斜面から構成される。更に、斜面はその前縁が狭く、後縁において急激に拡がっている。拡がっていく幅は、特徴的な反曲した湾曲形状の垂直又はほぼ垂直な側壁によって境界付けされる。これらＳ字形状壁は、ＮＡＣＡダクトの特徴を定めるものであり、反対方向に回転する一対の渦を生成し、これが、境界層の外側からダクト内部に高エネルギ空気を効率的に吸引すると考えられる。
【０００３】
レーシングカー設計者は、換気用又は冷却用のような、より需要の低い用途に向けた空気を吸入するために、一般に、物体の側面上にＮＡＣＡダクトを採用する。航空技術者は、同様な目的のため、ＮＡＣＡダクトを様々な形式の航空機に採用する。燃焼用のような、大量の高エネルギ空気を必要とする用途では、一般に、本体の側面に突出するように通常のスクープを形成するか、又は前向き表面上に吸気口を設けることによって最もよい作動が得られる。
【０００４】
ダクトの形状及び深さを変更することが適切な作動にとって重要である。適切に実装された場合、流れに対する外乱又は抵抗増大を最小にしながら、流体（通常は空気）が内部ダクト内に吸い込まれるようにすることができる。
【先行技術文献】
【特許文献】
【０００５】
【特許文献１】米国特許第６，３５８，１６１号
【特許文献２】米国特許第６，７０９，３４９号
【特許文献３】米国特許第７，８８７，４３９号
【特許文献４】米国特許第６，９０５，４２６号
【特許文献５】米国特許第４，３８９，３６５号
【特許文献６】米国特許第６，７０５，９５９号
【特許文献７】米国特許第６，１６８，４０７号
【特許文献８】米国特許第７，４７３，１９４号
【特許文献９】米国特許第６，０５６，８４２号
【特許文献１０】米国特許第６，８２４，４７６号
【特許文献１１】米国特許第６，５４８，６１８号
【特許文献１２】米国特許第５，６８８，１９１号
【特許文献１３】米国特許第５，７１３，８０１号
【特許文献１４】米国特許第５，８０３，８３１号
【特許文献１５】米国特許第５，８８５，１７２号
【特許文献１６】米国特許第５，９１９，１００号
【特許文献１７】米国特許第５，９６５，６６９号
【特許文献１８】米国特許第５，９８１，６５４号
【特許文献１９】米国特許第５，９８１，６５８号
【特許文献２０】米国特許第６，１４９，５３５号
【発明の概要】
【発明が解決しようとする課題】
【０００６】
ゴルフボールディンプルは、ゴルフボール表面付近の空気境界層に乱流を誘起するように働く。層流状態の境界層と比較すると、乱流状態の境界層は、より良好にボール表面に付着して留まることができる。従って、境界層が層流状態ではなく、乱流状態である場合には、ゴルフボール後方の伴流の大きさを減じることができ、その結果、ゴルフボール上に働く圧力抵抗が減少する。乱流境界層は、より大きな表面摩擦抵抗を生成するが、これは、圧力抵抗の減少によって劇的に打ち消される。しかしながら、製造者は、依然として、圧力抵抗を減らし、それに対応する表面摩擦抵抗の増加を最小にして、総合的な利点を最大にするための努力を続けている。従って、ディンプル内に空気流を引き込んで境界層内に乱流を引き起こす、改良されたディンプルのデザイン及び形状のための技術が必要とされている。本発明は、そのようなディンプルのデザイン及び形状に関する。
【課題を解決するための手段】
【０００７】
本発明は、ゴルフボール上に用いるための複数の腕部を含むディンプルに関し、各々の腕部が、第１幅を有する前縁と、第１幅よりも広い第２幅を有する後縁と、各々が該前縁から該後縁まで延びる第１側壁及び第２側壁と、傾斜した底部とを含み、該底部は、傾斜を生成するための前縁部におけるほぼ０となる第１深さと後縁部における第１深さよりも深い第２深さとを有し、中央領域が設けられ、該中央領域は、その周辺部において第２深さと同じ第３深さを有する。
【０００８】
一実施形態において、第１及び第２側壁は、反曲した湾曲形状を形成する。他の実施形態において、第１及び第２側壁の各々は、その縦方向に沿った所定の点において第２幅よりも広い第３幅を有する。更に他の実施形態において、第３幅は第２幅よりも少なくとも約３パーセント大きい。例えば、第３幅は、第２幅よりも少なくとも約５パーセント大きくするのがよい。
【０００９】
他の実施形態において、第１及び第２側壁は、前縁から後縁まで線形の形状を形成する。更に他の実施形態において、第１及び第２側壁の各々は、底部との間に約９０度の角度を形成する。また、他の実施形態において、第１及び第２側壁は、底部との間に約９０度よりも大きく、約１２０度よりも小さい角度を形成する。
【００１０】
本発明はまた、複数のディンプルを含むゴルフボールに関し、該複数のディンプルは、少なくとも１つの複合ディンプルを含むディンプルパターンに従ってゴルフボール上に配置されており、該少なくとも１つの複合ディンプルが複数の腕部を含み、該腕部の各々が、第１幅を有する前縁と、該第１幅よりも広い第２幅をもつ後縁と、各々が該前縁から該後縁に延びる第１側壁及び第２側壁と、傾斜した底部とを含み、該底部は、傾斜を生成するための、前縁部におけるほぼ０となる第１深さと後縁部における第１深さよりも深い第２深さとを有し、中央領域が設けられ、該中央領域は、その周辺部において第２深さと同じ第３深さを有する。
【００１１】
一実施形態において、ディンプルパターンは、第１の数の腕部を含む第１複合ディンプル形式を、少なくとも約５０パーセント含む。他の実施形態において、ディンプルパターンは、該第１の数の腕部よりも少ない第２の数の腕部を含む第２複合ディンプル形式を、少なくとも約１パーセント含む。
【００１２】
ディンプルパターンは、第１形状を有する第１形式のディンプルを、少なくとも５０パーセント含むものとするのがよく、この場合、該ディンプルパターンは、第１の数の腕部を有する第１複合ディンプル形式を、約５パーセントから約５０パーセント含む。一実施形態において、第１形状は円形である。ディンプルパターンはさらに、第１の数より少ない第２の数の腕部を有する第２複合ディンプル形式を、約１パーセントから約５パーセント含むものとするのがよい。
【００１３】
一実施形態において、第１及び第２側壁は、反曲した湾曲形状を形成する。他の実施形態において、第１及び第２側壁は、各々底部との間に約９０度を形成する。更に他の実施形態において、第１及び第２側壁の各々は、底部との間に約９０度よりも大きく、約１２０度よりも小さい角度を形成する。
【００１４】
複合ディンプルの各々は、隣接するディンプルと同数の腕部を有するものとするのがよい。一実施形態において、ディンプルパターンは、複数の複合ディンプルを含み、該複合ディンプルの腕部が、隣接する複合ディンプルの腕部と互いにかみ合うように配向される。他の実施形態において、ディンプルパターンは、複数の複合ディンプルを含み、該複合ディンプルは、その腕部が、ディンプルの中心と隣接するディンプルの中心とを接続する仮想線を跨ぐように配向される。
本発明のさらなる特徴及び利点は、以下に説明する図面に関連して提供される、後続の詳細な説明によって確認することができる。
【図面の簡単な説明】
【００１５】
【図１Ａ】本発明による、ディンプルの一部の一実施形態を示す平面図である。
【図１Ｂ】図１ＡにおけるＡ−Ａ断面を示す図である。
【図１Ｃ】図１ＡにおけるＡ−Ａ断面を示す図である。
【図２Ａ】本発明によるディンプルの一部の他の実施形態を示す平面図である。
【図２Ｂ】本発明によるディンプルの一部の様々な実施形態を示す平面図である。
【図３Ａ】本発明によるディンプルの一部の実施形態を示す側面断面図又は立面図である。
【図３Ｂ】本発明によるディンプルの一部の実施形態を示す側面断面図又は立面図である。
【図３Ｃ】本発明によるディンプルの一部の実施形態を示す側面断面図又は立面図である。
【図４】本発明の実施形態による複合ディンプルを示す図である。
【図５】本発明の実施形態による複数の複合ディンプルを含むディンプルパターンの実施形態を示す図である。
【図６】本発明の実施形態による複数の複合ディンプルを含むディンプルパターンの実施形態を示す図である。
【図７】本発明の実施形態による複数の複合ディンプルを含むディンプルパターンの実施形態を示す図である。
【発明を実施するための形態】
【００１６】
上述の通り、本発明は、ＮＡＣＡダクトの原理を利用して、ゴルフボールのディンプルデザインと幾何学的形状を開発するものである。特に、ＮＡＣＡダクト技術の原理を用いて形成された複数のディンプルは、ゴルフボールの全面又は一部に使用される様々なディンプルパターンを形成するために使用するのがよい。
【００１７】
ディンプルデザイン
本発明による、ゴルフボール上の全面又は一部に使用される様々なディンプルデザインは、一般にＮＡＣＡダクト技術に基づいている。特に、本発明によるゴルフボール上の少なくとも１つのディンプルの長さと形状は、空気流をディンプル内に吸い込み、反対方向に回転する一対の渦を生成して境界層内の乱流を増加させるようにデザインされている。
【００１８】
一実施形態において、本発明による複合ディンプルは、各々が前縁（「尖った」部分）と後縁とを有する、複数の実質的に類似した腕部を含む。これらの腕部は後縁において集合し、各々の後縁によって環を形成する。この環は、複合ディンプルの中央領域を定める。従って、各々の腕部の前縁が外向きに突出し、星形の形状を有するディンプルを形成する。
【００１９】
図１Ａは、腕部５の一般的な形状及び輪郭を示す。例えば、腕部５の各々の前縁１０は、第１幅Ｗ1を有し、後縁１５は、第１幅Ｗ1より広い第２幅Ｗ2をもつ。一実施形態において、第１幅Ｗ1は、第２幅Ｗ2の幅の約５０パーセント又はそれより小さい。他の実施形態において、第１幅Ｗ1は、第２幅Ｗ2の幅の約４０パーセント又はそれより小さい。更に別の実施形態において、第１幅Ｗ1は、第２幅Ｗ2の幅の約３０パーセント又はそれより小さい。例えば、第１幅Ｗ1は、第２幅Ｗ2の幅の約２０パーセント又はそれより小さいものとするのがよい。一実施形態において、第１幅Ｗ1は、第２幅Ｗ2の幅の約１０パーセント又はそれより小さい。
【００２０】
前縁１０から後縁１５に向かって拡がる幅は、図１Ａに示されるように、両側面において、垂直又はほぼ垂直の側壁（２０、２５）により境界付けされる。特に、一実施形態において、互いに拡がる側壁は、図１Ｂに示されるように、腕部の底部との間にほぼ直角（９０度）をなすようにしてもよい。他の実施形態において、図１Ｃに示されるように、側壁は外側に角度αだけ傾斜する。例えば、側壁は、腕部の底部との間に約９５度から１２０度の角度を形成するように傾斜させることができる。一実施形態において、側壁の角度は、腕部の底部に対し約９８度から約１１０度までである。他の実施形態において、側壁の角度は、腕部の底部に対し約１００度から約１０５度までである。
【００２１】
当業者は、ほとんどのゴルフボールが一又はそれ以上の塗料の塗膜で仕上げられており、これが、ディンプルの最終的な平面形状及び断面形状をある程度変化させることを理解するであろう。ここで説明されている寸法は、非塗装状態のディンプルについてのものである。
【００２２】
腕部の側壁２０、２５は反曲した湾曲状にすることができる。幾つかの限定的でない適切な反曲した湾曲側壁の例が、図２Ａに示されている。例えば、側壁２０ａ及び２５ａは、側壁２０ｂと２５ｂ及び側壁２０ｃと２５ｃによって形成された湾曲曲面とは異なる湾曲曲面を形成する。特に、側壁２０ａ及び２５ａは、側壁２０ｂと２５ｂによって形成された外形よりも狭い外形を形成する（幅Ｗ4及びＷ5（点Ｘ2と点Ｘ3のそれぞれにおける側壁と側壁との間の幅を示す）は、側壁２０ｂと２５ｂよりも側壁２０ａと２５ａの方が狭いが、幅Ｗ3（点Ｘ1における側壁間の幅を示す）及び幅Ｗ2は、両側壁の外形に関して同一である）。同様に、側壁２０ｂと２５ｂにより形成される全体的な外形形状は、側壁２０ｃと２５ｃにより形成されるものよりも狭い（幅Ｗ2及びＷ5は、側壁２０ｂと２５ｂにより形成されるものと側壁２０ｃと２５ｃにより形成されるものが同じであるが、幅Ｗ3及びＷ4は、側壁２０ｂと２５ｂにより形成されるものの方が側壁２０ｃと２５ｃにより形成されるものよりも狭くなっている）。一実施形態において、側壁の湾曲は、幅Ｗ2（側壁２０ｂと２５ｂ及び側壁２０ｃと２５ｃ）よりも広い幅Ｗ5を形成する。
【００２３】
他の実施形態において、図２Ａに示す（側壁２０ｄと２５ｄの）ように、側壁によって形成され外形は線形である。したがって、側壁２０ｄと２５ｄによって形成される幅Ｗ3は、側壁２０ｃと２５ｃによって形成される幅Ｗ3とほぼ同一であるが、幅Ｗ4と幅Ｗ5、及び幅Ｗ2は、側壁２０ｃと２５ｃにより形成されるものよりも、側壁２０ｄと２５ｄによって形成される幅の方が狭い。
【００２４】
腕部の側壁の長さは、腕部の外形形状に大きく依存して異なるものとなる。例えば、図２Ｂは様々な長さ（Ｌ、Ｌ1、Ｌ2、Ｌ3）を示しており、側壁が腕部の外形形状に依存することを示している。特に、図２Ｂに示されているように、前縁１０が基準線上の点ｙ1から始まる場合に側壁は長さＬ1をもつものとなる。同様に、前縁１０が基準線上の点ｙ2から始まる場合に側壁は長さＬ2をもつものとなる。
【００２５】
図１Ｂ及び図１Ｃに示すように、腕部の底部の深さは、どの地点においても、側壁の間の中間点における仮想的なボール表面と底部表面との間の垂直距離である。図３Ａに示されているように、斜面状の腕部の底部の深さが、前縁では本質的に０となり、後縁ではより深くなって、仮想的なボール表面の接平面と斜面表面との間に斜面角度βを定める。各々の腕部の斜面角度は様々とすることができるが、最良に機能するためには、斜面角度が大きければ大きいほど、拡がりの程度は小さくする必要があることを理解されたい。特に、斜面角度は、約３度から約１５度の間の範囲にするのがよい。一実施形態において、傾斜は約５度から約１２度である。更に他の実施形態において、傾斜は約７度から約１１．５度である。また、他の実施形態において、傾斜は約８度から約１１．５度の範囲である。
【００２６】
他の実施形態において、腕部の底部は、前縁から後縁までに２以上の異なる斜面をもつものとしてもよい。例えば、腕部は、前縁１０から所定の点、例えば図３Ｂに示された点Ｌ1までの第１斜面と、Ｌ1から後縁１５までの第２斜面とを有するようにするのがよい。この場合において、第２斜面の傾斜は第１斜面の傾斜よりも緩やかである。例えば、第２斜面が約３度から約７度の範囲であり、第１斜面が約５度から約１２度の範囲であるようにするのがよい。もう一つの場合において、図３に示すように、腕部は３以上の斜面を有していてもよい。例えば、腕部は、前縁から点Ｌ1までの第１斜面と、点Ｌ1から点Ｌ2までの第２斜面と、点Ｌ2から後縁までの第３斜面とを有する。一実施形態において、第１斜面は約３度から約７度の範囲であり、第２斜面は約２度から約５度の範囲であり、第３斜面は約５度から約１２度である。点Ｌ1及び点Ｌ2は、表示の目的で言及されているだけであり、当業者は、より良い結果をもたらすために斜面の角度を変更する場所を決定できる。
【００２７】
図３Ｃは、腕部の底部が、一定の傾斜をもつ個々の区画からなるのではなく、連続した湾曲をもつものとされた、他の場合を示している。この場合においては、点Ｌ4又は点Ｌ5のようなどのような点においても、斜面は仮想ボール表面の接平面Ｔ1と底部表面Ｔ4又はＴ5の局地的な接平面との間で計測される。他の実施形態において、斜面はどの点においても３度から１２度の範囲である。
【００２８】
上述の通り、複数の腕部は、後縁が、結果として得られる星形の形状の中央領域の周りで環を形成するようにされた、複合ディンプルを形成するのがよい。何らかの特定の理論に縛られるものではないが、複数の腕部を有する複合ディンプルは、空気流の方向を特定のものにする必要性を排除する。一実施形態において、複合ディンプルは少なくとも２つの腕部を有する。他の実施形態において、複合ディンプルは少なくとも３つの腕部を有する。さらに異なる実施形態において、複合ディンプルは少なくとも４つの腕部を有する。更に異なる実施形態において、複合ディンプルは少なくとも５つの腕部を有する。更に異なる実施形態において、複合ディンプルは少なくとも６つの腕部を有する。例えば、図４に示すように、複合ディンプル３０は６つの腕部（４０ａ−４０ｆ）を有する。更に異なる実施形態において、複合ディンプルは６より多くの腕部を有する。囲まれた中央領域は、取り囲む斜面に対し滑らかで連続的であることが好ましいが、他の形状も想定されている。例えば、バンプ、環状リング、窪み及びそれに類似するものが想定されている。
【００２９】
加えて、図４に示す複合ディンプル３０は６本のほぼ同じ腕部（４０ａ−４０ｆ）を示しているが、腕部の幅、側壁の拡がり形状、斜面角度、側壁の長さ、及び壁の角度は、各々のディンプルにおいて異なっていてもよいと考えられる。言い換えると、ディンプルの一又はそれ以上の腕部は、他の腕部とは異なる幅及び／又は側壁の拡がり形状を有するものとすることができる。同様に、ディンプルの一又はそれ以上の腕部は、他の腕部とは異なる斜面角度を有することができる。同じように、一又はそれ以上の腕部が９０度の壁角度を有し、他の腕部が９０度よりも大きな壁角度を有するようにすることができる。また、一又はそれ以上の腕部は、他の腕部とは異なる長さの、側壁長さを有するものとすることができる。
【００３０】
ディンプルパターン
上述の通り、本発明の複合ディンプルは、ゴルフボール表面の全体又は一部に配置することができる。一実施形態において、結果として得られるディンプルパターンが、本発明による複合ディンプルを少なくとも１つ以上含むように、複数のディンプルが所定の区域に配置される。少なくとも一つの複合ディンプルは、指定された表面上に不規則に配置されてもよく、又、当業者に知られた何らかの方法によって選択され、配置されてもよい。他の実施形態において、複数のディンプルは、結果として得られるディンプルパターンが、本発明による複合ディンプルを複数個含むように配置され、この場合、各々のディンプル形状は、同一であっても、或いは異なる形状であってもよい。更に異なる実施形態において、複数のディンプルは、結果として得られるディンプルパターンが、本発明による複数の複合ディンプルを含み、さらに異なる形状を有する複数のディンプルを含むように配置される。
【００３１】
一実施形態において、ディンプルはボール表面のほぼ半分を覆う。この覆われた範囲のうち、少なくとも一部が本発明による複合ディンプルを含む。他の実施形態において、本発明による複合ディンプルは、ゴルフボール表面の少なくとも約６０パーセントに配置することができる。該複合ディンプルは、ゴルフボールの少なくとも７０パーセントを覆うようにしてもよい。一実施形態において、該複合ディンプルは、ゴルフボール表面の約８０パーセントを覆う。その他の実施形態において、本発明の複合ディンプルは、ゴルフボール表面の約８５パーセントを覆う。更に異なる実施形態において、本発明の複合ディンプルは、ゴルフボール表面の約９０パーセントを覆う。
【００３２】
本技術分野の当業者は、本発明によるディンプルが、この分野において知られている任意の数の望ましいパターン及び配列を使用して、ゴルフボール上に配置できることを認識するであろうが、２０面体の幾何学的形状に基づくディンプルパターンが、形成されたディンプル配列に規則性を与えるのに特に適している。特に、図５に示されているように、ゴルフボール５０上のディンプルパターンは、２０面体に基づいて形成され、２０面体の頂点に本発明による１２個の５本腕複合ディンプル６０を有する状態で、２５２個のディンプルを含むものとすることができる。残りの領域は、２４０個の本発明による６本腕複合ディンプル７０によって満たされる。この特定の実施例において、複合ディンプルの腕部は、隣接するディンプルの腕部と互いにかみ合い、モザイク効果を生み出すように配向される。代替的な実施例においては、図６に示されているように、各腕部は、ディンプルの中心と隣接するディンプルの中心とを結ぶ仮想線を跨ぐように配向される。
【００３３】
一実施形態において、ディンプルパターンは、隣接するディンプルの数と同じ数の腕部をもつようにされた複数の複合ディンプルを有する。例えば、図６に示されているように、ディンプルＡ（７０）は、６個の隣接するディンプル（Ａ1、Ａ2、Ａ3、Ａ4、Ａ5及びＡ6）を有する。従って、ディンプルＡは６個の腕部を有する。同様に、ディンプルＢ（６０）は５個の隣接するディンプル（Ｂ1、Ｂ2、Ｂ3、Ｂ4及びＢ5）を有し、従って、５個の腕部を有する。
【００３４】
当業者は、図５及び図６に示された特定の実施形態が、限定的でない例であることを意図しており、他のパターンが発明の範囲及び思想に含まれることを理解するであろう。例えば、複合ディンプルのみを含むディンプルパターンは、３本の腕部、４本の腕部、５本の腕部、６本の腕部、及び６本より多い数の腕部をもつ複合ディンプルを、任意の数だけ含むことができる。他の実施形態において、ディンプルパターンは、複合ディンプルの総数に対し、少なくとも約５０パーセントの６本腕複合ディンプルを含む。異なる実施形態において、ディンプルパターンは、複合ディンプルの総数に対し、少なくとも約７５パーセントの６本腕複合ディンプルを含む。更に異なる実施形態において、ディンプルパターンは、複合ディンプルの総数に対し、少なくとも約９０パーセントの６本腕複合ディンプルを含む。例えば、ディンプルパターンは、少なくとも約９５パーセントの６本腕複合ディンプルを含むことができる。
【００３５】
同様に、ゴルフボール表面の部分には、ここで説明されていない形状のディンプルを形成することができる。例えば、成形用の機器を大幅に変更することを避けるために、射出成形用の通気ピン又は引込み式ピンに対応するゴルフボール上に、ディンプルの位置又は寸法を選択することができる。そのように選択したディンプルの寸法及び位置を維持することは、本明細書で説明される方法によってディンプルが配置されるボール上の部分を定めることによって遂行でき、ボール表面の一部分から所定の位置に留まるディンプルが排除される。
【００３６】
また、本発明は、ボール表面の一部のディンプルのみが本発明の複合ディンプルである、ディンプルパターンを考慮している。例えば、一実施形態において、複合ディンプルと他の形式のディンプルとの混合を含むディンプルパターンが、約５パーセントから約５０パーセントの複合ディンプルと、約９５パーセントから約５０パーセントの他の形式のディンプルと含むものとすることができる。他の実施形態において、適切なディンプルパターンは、約１５パーセントから約３５パーセントの複合ディンプルと、約８５パーセントから約６５パーセントの他の形式のディンプルを含む。この場合、複合ディンプルは、腕部の数が異なるものとすることができる。例えば、そのようなディンプルパターンは、約１パーセントから約１０パーセントの間の５本腕複合ディンプルと、約１５パーセントから約２５パーセントの６本腕複合ディンプルとを含むことができる。
【００３７】
他の形式のディンプルは、一般的な形状（例えば円形平面形状など）、又は、楕円形、三角形、菱形、矩形、五角形、及び多角形のような非円形形状とすることができる。一実施形態において、ディンプルパターンは、本発明の複数の複合ディンプルと、少なくとも１つの他の形式の複数のディンプルとを含み、これら他の形式のディンプルは、何らかの形態で残された部分又は規定されていない領域に配置される。例えば、他の実施形態において、ゴルフボール表面は、本発明によって形成され、第１形状及び第１寸法を有する、第１の数の複合ディンプルと、第２形状及び第２寸法を有する、第２の数の複合ディンプルとを含むことができる。他の実施形態において、ゴルフボール表面は、本発明によって形成され、第１形状及び第１寸法を有する、第１の数の複合ディンプルと、本発明による、第２形状及び第２寸法を有する、第２の数の複合ディンプルと、第３形状及び第３寸法を有する、第３の数の複合ディンプルとを含むことができる。
【００３８】
他の実施形態において、ディンプルパターンは、本発明による複数の複合ディンプルと、何らかの形態で残された領域又は規定されていない領域に配置された、複数の少なくとも２つの他の形式のディンプルとを含み、これら他の形式は、同じ形状で異なる寸法のディンプル、又は異なる形状でほぼ同じ寸法又は異なる寸法のディンプルによって定められる。例えば、一実施形態において、ゴルフボール表面は、本発明によって形成された、第１形状及び第１寸法を有する第１の数の複合ディンプルと、第２形状及び第２寸法を有する第２の数の複合ディンプルと、第３形状及び第３寸法を有する第３の数の複合ディンプルとを含むことができる。この場合、第２形状及び第３形状は、ほぼ同じでも異なっていてもよい。同様に、第２寸法及び第３寸法は、ほぼ同じでも異なっていてもよい。一実施形態において、第２形状は、円形平面形状で、第３形状は、非円形形状である。他の実施形態において、第２形状及び第３形状の各々は円形平面形状とし、第２寸法を第３寸法よりも大きくすることができる。
【００３９】
他の実施形態において、ゴルフボール表面は、本発明によって形成された、第１形状及び第１寸法を有する第１の数の複合ディンプルと、本発明によって形成された、第２形状及び第２寸法を有する第２の数の複合ディンプルと、少なくとも第３形状及び第３寸法を有する第３の数の複合ディンプルとを含み、第３のディンプルと異なる形状及び／又は寸法をもつ追加のディンプルを複数個、任意に有するものとすることができる。この場合、追加の複数個のディンプルは、第３形状と同じ形状を有するが、第３寸法とは異なる寸法である。代替的に、追加の複数のディンプルは、ほぼ同じ寸法で、第３形状と異なる形状であってもよい。加えて、追加の複数のディンプルは、第３形状及び第３寸法とは異なる形状及び寸法を有するものであってもよい（また、複数のディンプルの各々の形状及び寸法と異なるものであってもよい）。
【００４０】
図７に示された特定の実施例において、ディンプルパターンは、合計３６２個のディンプルを含み、その内訳は、１２個の５本腕複合ディンプル６０と、８０個の６本腕複合ディンプル７０と、２７０個の円形ディンプルである。図７に示された特定の実施形態は、本発明の複数の実施形態による複合ディンプルであるディンプルを約２５パーセント有するが、当業者は、複合ディンプルの割合を、望ましいディンプルパターンに応じて調節できることを理解するであろう。
【００４１】
ディンプルパターンにおける「他の形式のディンプル」として用いることができるディンプルの寸法及び形状についての幾つかの追加的な非限的な実施例は、引用によって本明細書に組み入れられる特許文献１及び特許文献２に記載されている。
【００４２】
「他の形式のディンプル」の周長及び寸法を変更することに加えて、そのようなディンプルの断面形状を変更することができる。例えば、一実施形態において、ディンプルの形状は、懸垂線曲線に対応する。この実施形態は、引用によって本明細書に組み入れられた特許文献３で更に詳細に説明されている。本発明に使用することができるディンプル形状の断面形状の他の実施形態は、特許文献４に記載されており、この特許文献４も引用によって本明細書に組み入れられる。球形楕円体又は放物面のような、他のディンプル形状を、本発明の思想及び範囲から逸脱することなく使用することができる。加えて、ディンプルは、凸型又は凹型の断面形状、又はそれらの組み合わせのいずれかを有することができる。
【００４３】
上述のように、本発明の複合ディンプルを配置するためにボール表面上に規定された領域は、ゴルフボールの半球部分にほぼ対応するが、より狭い又はより広い領域を選択することができる。このように領域を規定することは、カバーを形成する金型が２つの半球体から構成される場合に特に有利である。
【００４４】
規定された領域は、１つの金型キャビティによって形成される領域にほぼ対応するように選ぶことができる。この場合、境界領域は金型の分割線付近となるので、ディンプルは金型キャビティが合わさる場所に極めて近い部分には形成されない。例えば、ディンプル（複合又は他の形式）の部分が、金型分割線から０．００５インチ又はそれより小さい範囲には形成されないように、境界領域が設けられる。境界領域は、対応する金型キャビティの分割線からほぼ同じ距離にあることが好ましい。
【００４５】
金型キャビティに対応するように領域を規定する技術は、１対の対応するキャビティが同じ寸法又は形状を持たない場合でも使用することができる。例えば、引用によりその全体が本明細書に組み入れられるＫｕｄｒｉａｖｅｔｚの特許文献５に例えば説明されているように、金型の分割線は、オフセットされたものであってもよい。加えて、金型の分割線は、例えば引用によって本明細書に組み入れられる特許文献６に説明されているように、単一平面内に存在するわけではない。他の金型は、引用によりその全体が本明細書に組み入れられる特許文献７に説明されているような、分割線を横切るディンプルを有するものであってもよい。しかしながら、規定された領域は、必ずしも単一の金型キャビティによって形成された部分に限定されるものではない。多くの場合、規定された領域は、本技術分野で公知のように、多面体の表面に対応するように定められた球体上の、より小さい多角形領域である。
【００４６】
代替的な実施形態において、ディンプル（複合及び／又は他の形式）は、分割線上に配置できる。
【００４７】
また、ディンプルパターンは、引用によりその全体が本明細書に組み入れられる特許文献８に記載されたソディ円を含む１又はそれ以上の幾何学的形状に基づいて選ぶことができるが、これに限られるものではない。ソディ円は、望ましい方法の何れかによってゴルフボール表面上にマッピングされる。当業者は、本発明が如何なる特定の三角形パターンにも限定されないことを認識するであろう。例えば、三角形パターンを形成する三角形は、鋭角、鈍角、正三角形の角度又はそれらの可能な組み合わせを含む、任意の角度をもつものであってもよい。三角形の各々の辺の長さもまた、必要に応じて多様である。加えて、本発明は、球面上の特定の領域内に、任意の数の三角形を設けることに限定する意図を有するものではない。更に、三角形状パターンは、ゴルフボール表面全体にマッピングされてもよく、又、代替的にゴルフボールの一部のみにマッピングされてもよい。該部分は、ゴルフボールの赤道を含んでも含まなくてもよい。幾つかの実施形態において、２又はそれ以上の異なる三角形パターンを用いることが好ましい。そのような実施形態において、２又はそれ以上の三角形パターンがゴルフボール表面の異なる部分にマッピングされるようにしてもよい。組み合わせによる更に異なる三角形パターンを生成するために、２又はそれ以上の三角形パターンを、ゴルフボールの同じ部分にマッピングすることが望ましいであろう。
【００４８】
ゴルフボールの構造
本発明は、何らかの特定のボール構造にも限定されるものではなく、ゴルフボールのカバー又は他の部分を形成するために用いられる材料に制限を受けるものでもない。従って、本発明は、中心が、固体、液体、又は空洞で、任意の数の中間層及び任意の数のカバーを有するゴルフボールに使用することができる。また、損傷したゴルフボール、多層コアをもつゴルフボール、及びそれらに類似するものに使用することもできる。例えば、本発明は、二層カバーと、二重のコア、及びその組み合わせをもつゴルフボールに使用することができる。
【００４９】
本発明に使用できるボール構造の適切な形式の他の非限定的な実施例は、特許文献９、特許文献１０、特許文献１１、特許文献１２、特許文献１３、特許文献１４、特許文献１５、特許文献１６、特許文献１７、特許文献１８、特許文献１９及び特許文献２０に説明された内容を含む。これら特許文献及び公報の全ては、引用によって本明細書に組み入れられる。
【００５０】
また、本発明は、ゴルフボールを形成するために使用される材料について制限されるものではない。ゴルフボールの種々の部分を形成するために使用できる適切な材料の例は、ポリウレア、ポリウレタン、ポリブタジエン、イオノマー樹脂、及びそれらの混合物を含むが、それらに限定されるものではない。例えば、外部カバー材料は、ポリウレタン、ポリウレア、及びそれらの混合物によって形成できる。
【００５１】
本発明は、特定の実施例を参照して説明されているが、当業者は請求項の思想の範囲内において、多様で代替的な実施例が許容されることを理解するであろう。例えば、本発明による複合ディンプルを含むディンプルパターン及びディンプルパターンと共に形成された最終的なゴルフボールは、必要であれば本分野において公知で使用されている特徴を含む追加的な形状を含むことができる。
【符号の説明】
【００５２】
５  腕部
１０  前縁
１５  後縁
２０、２５  側壁
３０  複合ディンプル
４０  腕部
５０  ゴルフボール
６０  ５本腕複合ディンプル
７０  ６本腕複合ディンプル
【図１Ａ】
2014138853.tif 000003
【図１Ｂ】
2014138853.tif 000004
【図１Ｃ】
2014138853.tif 000005
【図２Ａ】
2014138853.tif 000006
【図２Ｂ】
2014138853.tif 000007
【図３Ａ】
2014138853.tif 000008
【図３Ｂ】
2014138853.tif 000009
【図３Ｃ】
2014138853.tif 000010
【図４】
2014138853.tif 000011
【図５】
2014138853.tif 000012
【図６】
2014138853.tif 000013
【図７】
2014138853.tif 000014
【外国語明細書】
2014138853000001.pdf